(57)【特許請求の範囲】
【請求項１】
上下方向に連設した複数のスラットからなり、各スラットはその本体の上側壁に沿って上方へ突出する吊元を有するとともに、本体の下側壁に沿って上側に凹入する中空嵌合部を有し、下位に隣接するスラットの吊元が中空嵌合部内に下方から係合している建築物のシャッターにおいて、上下方向に連設した複数のスラットからなり、各スラットはその本体の上側壁に沿って上方へ突出する吊元を有するとともに、本体の下側壁に沿って上側に凹入する中空嵌合部を有し、下位に隣接するスラットの吊元が中空嵌合部内に下方から係合している建築物のシャッターにおいて、前記中空嵌合部の上端の仕切壁の下側に、当該中空嵌合部の内部に係合させた前記吊元の先端部が当接する突出部が形成され、前記吊元の先端部は、傾斜当接面をもつ板状部として構成され、前記突出部は前記吊元先端部の傾斜当接面に当接する傾斜面を有し、この傾斜当接面は、中空嵌合部のシャッター内外方向の片側に寄せて曲面状をなして形成され、シャッター全閉状態において、前記吊元先端部の傾斜当接面が前記突出部の傾斜当接面に当接するとともに、上下に隣接する下位のスラット本体の上側壁が上位のスラットの下側壁に当接し合計３箇所で上位のスラットを支持することを特徴とする建築物のシャッター。
【請求項２】
前記突出部の傾斜当接面が中空嵌合部のシャッター内外方向の片側に寄せて設けられている側で、上位のスラットの下側壁と下位のスラットの上側壁とが、前記突出部の傾斜当接面と同じ方向の傾斜面として形成されていることを特徴とする請求項１に記載の建築物のシャッター。
【発明の詳細な説明】
【０００１】
【発明の属する技術分野】
本発明は、多数の横方向スラットを連設して構成される建築物のシャッターにする。
【０００２】
【従来の技術】
多数の横方向スラットを連設して構成される建築物のシャッターは、例えば図１に示すように、左右の縦枠２、２と、下枠３と、上枠４とからなる窓用等の方形枠の屋外側を開閉可能に設けられる。方形枠の上枠４の上部には天板５が取り付けられ、また上枠４と天板５の間の領域の前部には、背板６を介してシャッターＳを巻き込んで収容するシャッターケース７が固定され、このシャッターケース７は左右の縦方向ガイドレール８、８により下方から支持される。ガイドレール８、８は、シャッターケース７内の図示しないシャッター巻取軸から下方に繰り出されるシャッターＳの左右縁部を案内するようになっている。シャッターケース７の前面はカバー９によって閉じられている。
【０００３】
シャッターＳは多数の横方向スラット１０を連設して構成されている。図６は上下に隣接するスラット１０の構造を示している。各スラット１０は中空板状の横に長い本体１１を有し、この本体１１の中程には仕切壁１２が一体的に形成されている。
【０００４】
また、本体１１の上側壁１３は、その上位に隣接するスラット１０の下側壁１４に当接する支持面を構成している。上側壁１３からは上方へ向かって吊元１６が一体的に設けられている。吊元１６はその先端部に傾斜した板状部１７を有している。また、スラット１０の下側壁１４には、スラット本体１１の横方向に延びるように比較的幅の狭い長孔１８が形成されている。長孔１８と仕切壁１２の間の空間は中空嵌合部１９を構成する。
【０００５】
シャターＳの組み立て状態では、下位のスラットの吊元１６が上位のスラットの中空嵌合部１９内に下方から仮想線で示すように挿入される。吊元１６の板状部１７が長孔１８より大きいので、吊元１６がスロット１８を通って下方へ脱落することが阻止される。
【０００６】
シャッターＳが全閉状態にある時には、図７（ａ）に示すように、スラット１０は下位のスラット１０の上側壁に当接して支持され、下位のスラット１０の吊元１６は上位のスラット１０の中空嵌合部１９内に完全に埋没する。この状態では、上位のスラット１０およびそれより上位のすべてのスラットの重量は、下位のスラット１０の上側壁１３の吊元１６の両側の面で支持される。一方、シャッターＳが半閉状態にある時には、図７（ｂ）に示すように下位のスラット１０の吊元１６が上位のスラット１０の中空嵌合部１９内から部分的に抜ける。
【０００７】
【発明が解決しようとする課題】
ところで、以上に述べた従来のシャッターでは、図７（ａ）に示す全閉状態において上位にあるスラット１０の荷重を下位のスラット１０が負担することにより、下位に行くほど上下に隣接するスラット同士が荷重に耐えられなくなってジグザグ状に波打つことが起きる。その理由は、下位のスラットの吊元１６がその先端の板状部１７を含めて中空嵌合部１９内で図６で見て左右に動くことができるからである。吊元１６の根元が挿通されている長孔１８は幅が狭いので、吊元１６は長孔１８を通る部分を中心にして回動し易く、したがって、この回動によって隣接するスラット同士がジグザグ状態に波打ち易い。このようなジグザグ状態は全閉状態のシャッターの見栄えを悪くし、しかも、風が強い時などにはスラットがジグザグ状態のままで互いに変位して擦れ音を発生させるので好ましくない。
【０００８】
本発明は、上述の問題を解決するためになされたもので、全閉状態でも隣接するスラット同士がジグザグ状態に波打つことがなく、したがって見栄えがよく、しかも風が強い時などでも擦れ音が発生することがない建築物のシャッターを得ることを課題とする。
【０００９】
【課題を解決するための手段】
本発明によれば、上記課題は、上下方向に連設した複数のスラットからなり、各スラットはその本体の上側壁に沿って上方へ突出する吊元を有するとともに、本体の下側壁に沿って上側に凹入する中空嵌合部を有し、下位に隣接するスラットの吊元が中空嵌合部内に下方から係合している建築物のシャッターにおいて、前記中空嵌合部の上端の仕切壁の下側に、当該中空嵌合部の内部に係合させた前記吊元の先端部が当接する突出部が形成され、前記吊元の先端部は、傾斜当接面をもつ板状部として構成され、前記突出部は前記吊元先端部の傾斜当接面に当接する傾斜面を有し、この傾斜当接面は、中空嵌合部のシャッター内外方向の片側に寄せて曲面状をなして形成され、シャッター全閉状態において、前記吊元先端部の傾斜当接面が前記突出部の傾斜当接面に当接するとともに、上下に隣接する下位のスラット本体の上側壁が上位のスラットの下側壁に当接し合計３箇所で上位のスラットを支持することによって達成される。
【００１０】
また、前記突出部の傾斜当接面が中空嵌合部のシャッター内外方向の片側に寄せて設けられている側で、上位のスラットの下側壁と下位のスラットの上側壁とを、前記突出部の傾斜当接面と同じ方向の傾斜面として形成するのが好ましい。
【００１１】
【発明の実施の形態】
以下、本発明の実施の形態を図面を参照して説明する。
図２は本発明に係る建築物のシャッターの半閉状態を、また図２は本発明に係る建築物のシャッターの全閉状態をそれぞれ示す。これらの図において、従来例である図５のシャッターと均等な部分には同じ符号を付してある。
【００１２】
図２およおび図３において、シャッターＳは多数の横方向スラット１０を上下方向に連設して構成されている。なお、本実施の形態の説明およおび特許請求の範囲において、「上」および「下」とは、シャッターＳを巻き込み状態から下方へ引き出して図２および図３に示すほぼ垂直状態にした場合における「上」および「下」を意味する。
【００１３】
各スラット１０は中空板状の横に長い本体１１を有し、この本体１１の内部の中程には仕切壁１２が一体的に形成されている。また、本体１１の上側壁は、その上位に隣接するスラット１０の下側壁に当接する支持面を構成している。上側壁からは上方へ向かって吊元１６が一体的に突設されており、吊元１６の一側が第１の上側壁１３ａとなっており、他側が第２の上側面１３ｂとなっている。第１の上側壁１３ａは本体１１の側面に向かって下降する傾斜面として形成されている。
【００１４】
吊元１６はその先端に、傾斜面をもつ板状部１７を有している。この板状部１７の傾斜面の傾斜方向は、第１の上側壁１３ａの傾斜の方向と同じである。また、各スラット１０の下側壁には、図４に拡大して示すように、スラット本体１１の長手方向に延びるように比較的幅の狭い長孔１８が形成されている。そして、長孔１８に関して前記第１の上側壁１３ａの側にある第１の下側壁１４ａが、下側に隣接するスラット１０の第１の上側壁１３ａに対応する傾斜面２０として形成されている。長孔１８の反対側には第２の下側壁１４ｂが設けられている。長孔１８と仕切壁１２の間の空間は中空嵌合部１９を構成する。
【００１５】
本発明によれば、中空嵌合部１９内において、仕切壁１２の下側に突出部２１が形成されている。この突出部２１は、中空嵌合部１９内に係合する吊元１６の板状部１７の傾斜面に当接するように設計される。すなわち、上下に隣接する下位のスラット本体１１の上側壁が上位のスラット本体１１の下側壁に当接して上位スラットを支持しているシャッター全閉状態において、突出部２１は、吊元１６の板状部１７の傾斜面に当接して、板状部１７がシャッターＳの厚み方向に変位するのを防止するような形状をもつよう設計されている。より具体的には、吊元１６の先端部である板状部１７は傾斜当接面をもつ板状部として構成され、突出部２１は吊元１６の傾斜当接面に当接する傾斜面２２をもつように設計されている。
【００１６】
シャッターＳの組み立て状態では、下位のスラット１０の吊元１６が上位のスラット１０の中空嵌合部１９内に下方から図４に示すように挿入されている。そして、吊元１６の板状部１７が長孔１８より大きいので、吊元１６が長孔１８を通って下方へ脱落することはない。
【００１７】
シャッターＳが全閉状態にある時には、図３および図５に示すように、スラット１０は下位のスラット１０の上側壁に当接して支持され、下位のスラット１０の吊元１６が上位のスラット１０の中空嵌合部１９内に完全に埋没する。この実施の形態では、スラット１０の上側壁は傾斜した第１の上側壁１３ａを有しており、しかも第１の上側壁１３ａの傾斜面に対し上位のスラット１０の第１の下側壁１４ａの傾斜面が当接するように設計されている。したがって、下位のスラット１０に荷重を及ぼしている上位のスラット１０の第１の下側壁１４ａが下位のスラット１０の第１の上側壁１３ａに対し滑って降りた場合、反対側の第２の下側壁１４ｂの先端が吊元１６の面に当接して、上位のスラット１０の滑りはそこで止まる。そして、この状態で、上位のスラット１０およびそれより上位にあるすべてのスラットの重量は、下位のスラット１０の上側壁１３ａおよび１３ｂによって支持される。
【００１８】
この状態において、吊元１６の先端部が傾斜当接面をもつ板状部１７として構成され、突出部２１は吊元１６の傾斜当接面に当接する凸曲面状傾斜面２２をもつように設計されているので、シャッターＳの全閉状態において、中空嵌合部１９内の最も奥まで押込まれた吊元１６の板状部１７の傾斜当接面は、突出部２１の凸曲面状傾斜面２２に図３および図５に示すように当接する。そして、傾斜面同士がこのように当接することによって、吊元１６の板状部１７はシャッターＳの厚みの方向（図３および図５の右方向）に変位することを阻止される。
【００１９】
したがって、上下に隣接するスラット１０は、吊元１６の板状部１７と突出部２１の当接個所と、第１の上側壁１３ａおよび第１の下側壁１４ａによる当接個所と、第２の上側壁１３ｂおよび第２の下側壁１４ｂによる当接個所との３個所における支持によって、互いにジグザグ状態に波打たないように確実に相互に固定される。したがって、風等によってシャッターＳが、がたがたと擦り音を発することが防止される。
【００２０】
また、突出部２１の傾斜当接面２２を、中空嵌合部１９のシャッター内外方向の片側に寄せて凸曲面状をなして形成することによって、吊元先端部１７の突出部２１との当接、離脱が円滑に行われる。また、突出部の２１傾斜当接面２２を、中空嵌合部１９のシャッター内外方向の片側に寄せて凸曲面状をなして形成することによって、中空嵌合部１９内での突出部２１の配置が合理的になり、吊元先端部１７の突出部２１との当接、離脱が円滑かつ容易になる。さらに、図５に示すシャッター全閉状態において、下位のスラット１０が上位のスラット１０に対し時計方向に回動しようとしても、上記のように吊元先端部１７が突出部２１に当接するのに加えて、吊元１６の付け根部分に上位のスラット１０の下側壁１４ｂの先端が当接することにより、時計方向回動は阻止される。一方、下位のスラット１０が上位のスラット１０に対し、吊元先端部が突出部から離れる方向に反時計方向回動しようとしても、上位のスラット１０の傾斜下側壁１４ａに下位のスラット１０の傾斜上側壁１３ａが押し付けられることより、下位のスラット１０の反時計方向回動も阻止される。この効果は、上側壁１３ａおよび下側壁１４ａが傾斜面になっていることによって一層確実になる。したがって、スラット同士がジグザグ状に波打つことは確実に防止される。
【００２１】
一方、図２に示す半閉状態では、下位のスラット１０の吊元１６が上位のスラット１０の中空嵌合部１９内から少なくとも部分的に抜ける。そして、吊元１６の面に横方向スロットが形成されている設計の場合には、このスロットを通してシャッターの内外が連通し、シャッターは半閉状態となる。
【００２２】
【発明の効果】
以上に実施の形態について説明したように、請求項１の発明によれば、シャッター全閉状態でも隣接するスラット同士がジグザグ状態に波打つことがなく、したがって見栄えがよく、しかも風が強い時などでも擦れ音を発生させることがない。また、請求項１の発明では、吊元の先端部は傾斜当接面をもつ板状部として構成し、突出部は吊元の傾斜当接面に当接する傾斜面を有するようにすることによって、突出部と吊元の当接を確実なものとすることができる。さらに、、突出部の傾斜当接面を、中空嵌合部のシャッター内外方向の片側に寄せて凸曲面状をなして形成することによって、中空嵌合部内での突出部の配置が合理的になり、吊元先端部の突出部との当接、離脱が円滑かつ容易になる。
【００２５】
さらに、請求項２の発明では、突出部の傾斜当接面が中空嵌合部のシャッター内外方向の片側に寄せて設けられている側で、上位のスラットの下側壁と下位のスラットの上側壁とを、前記突出部の傾斜当接面と同じ方向の傾斜面として形成することによって、下位のスラットの吊元先端部が上位のスラットの突出部から離れる方向に変位することも阻止される。
【図面の簡単な説明】
【図１】建築物シャッターの分解斜視図。
【図２】本発明の建築物シャッターのの半閉状態における縦断面図。
【図３】本発明の建築物シャッターの全閉状態における縦断面図。
【図４】本発明の建築物シャッターのスラットの要部の縦断面図。
【図５】本発明の建築物シャッターのスラットの要部の全閉状態における拡大縦断面図。
【図６】従来の建築物シャッターのスラットの縦断面図。
【図７】従来の建築物シャッターの全閉状態および半閉状態を示す縦断面図。
【符号の説明】
Ｓ  建築物シャッター
１０  スラット
１１  スラット本体
１２  仕切壁
１３ａ、１３ｂ  上側壁
１４ａ、１４ｂ  下側壁
１６  吊元
１７  板状部
１９  中空嵌合部
１８  長孔
２０  下側壁１４ａの傾斜面
２１  突出部
２２  突出部２１の当接面
【図１】
0003614766.tif 000002
【図２】
0003614766.tif 000003
【図３】
0003614766.tif 000004
【図４】
0003614766.tif 000005
【図５】
0003614766.tif 000006
【図６】
0003614766.tif 000007
【図７】
0003614766.tif 000008